(57)【要約】【課題】ボウル部内に照射した紫外線が漏れ出にくい便器装置を提供する。【解決手段】便器装置１は、便器本体２、便蓋４、殺菌灯５、および紫外線漏れ抑制部材６を備える。便器本体２には、ボウル部２０が形成されている。便蓋４は、便器本体２に設けられており、開閉可能である。殺菌灯５は、便器本体２と便蓋４で囲まれる空間１０に紫外線を照射するように構成されている。紫外線漏れ抑制部材６は、便蓋４がボウル部２０の上開口部２１を覆う閉位置に配置されたときに、便蓋４の外周部と、この外周部の下方に位置する便器本体２の上面との間を塞ぐ。【選択図】図１
2016152869.tif 000002
【特許請求の範囲】
【請求項１】
ボウル部が形成された便器本体と、
前記便器本体に設けられた開閉可能な便蓋と、
前記便器本体と前記便蓋で囲まれる空間に紫外線を照射する殺菌灯と、
前記便蓋が前記ボウル部の上開口部を覆う閉位置に配置されたときに、前記便蓋の外周部と、この外周部の下方に位置する前記便器本体の上面との間を塞ぐ紫外線漏れ抑制部材とを備えたことを特徴とする便器装置。
【請求項２】
前記紫外線漏れ抑制部材が、前記閉位置に配置された前記便蓋と前記便器本体の上面とで上下に圧縮される軟質部材であることを特徴とする請求項１に記載の便器装置。
【請求項３】
前記紫外線漏れ抑制部材が、
前記便蓋に設けられた第１部材と、
前記便器本体に設けられて前記便蓋が前記閉位置に配置されたときに前記第１部材の下方に位置する第２部材とを備え、
前記第１部材および前記第２部材のうちの一方の部材が他方の部材側に向かって突出した突部を有し、かつ前記他方の部材が前記一方の部材と反対側に凹んだ凹部を有し、前記便蓋が前記閉位置に配置されたときに、前記突部が前記凹部に嵌まり込むことを特徴とする請求項１または請求項２に記載の便器装置。
【請求項４】
前記紫外線漏れ抑制部材が、
前記便蓋に設けられた第１部材と、
前記便器本体に設けられた第２部材とを備え、
前記便蓋が前記閉位置に配置されたときに、前記第１部材と前記第２部材とが水平方向に並んで配されて互いの側面同士が接することを特徴とする請求項１に記載の便器装置。
【請求項５】
前記紫外線漏れ抑制部材が１部材で構成されたことを特徴とする請求項１または請求項２に記載の便器装置。
【請求項６】
前記紫外線漏れ抑制部材が前記便蓋に取り付けられたことを特徴とする請求項５に記載の便器装置。
【発明の詳細な説明】
【技術分野】
【０００１】
本発明は便器装置に関し、詳しくは紫外線を照射する便器装置に関する。
【背景技術】
【０００２】
特許文献１には、便蓋に便器のボウル部内に向けて紫外線を照射する光源装置が設けられたトイレ装置が開示されている。このトイレ装置は、ボウル部の表面に光触媒層が形成されており、光源装置から照射された紫外線と光触媒層の分解作用により、ボウル部の抗菌や防汚や防臭が行われる。
【先行技術文献】
【特許文献】
【０００３】
【特許文献１】特開２０１４−１６３１６３
【発明の概要】
【発明が解決しようとする課題】
【０００４】
ところで、前記光源装置から照射された紫外線が外部に漏れ出ることは、人体に紫外線が照射される可能性があって好ましくない。ここで、前記トイレ装置では、便蓋が閉じた状態において、便蓋の垂下部が、便器の側面部の一部を覆うように構成されている。しかし、このトイレ装置は、光源装置から照射された紫外線が、便蓋の垂下部と便器の側面部の間から、外部に漏れ出る可能性がある。
【０００５】
本発明は前記事情に鑑みてなされたものであって、ボウル部内に照射した紫外線が外部に漏れ出しにくい便器装置を提供することを課題とする。
【課題を解決するための手段】
【０００６】
前記課題を解決するために本発明の便器装置は、ボウル部が形成された便器本体と、前記便器本体に設けられた開閉可能な便蓋と、前記便器本体と前記便蓋で囲まれる空間に紫外線を照射する殺菌灯と、前記便蓋が前記ボウル部の上開口部を覆う閉位置に配置されたときに、前記便蓋の外周部と、この外周部の下方に位置する前記便器本体の上面との間を塞ぐ紫外線漏れ抑制部材とを備えたことを特徴とする。
【発明の効果】
【０００７】
本発明に係る便器装置は、閉位置に配置された便蓋の外周部と、この外周部の下方に位置する便器本体の上面の間が、紫外線漏れ抑制部材で塞がれる。このため、仮に便蓋が閉じられた状態で、殺菌灯から照射された紫外線の一部が、便蓋の外周部とこの外周部の下方の便器本体の上面との間に至っても、この紫外線は紫外線漏れ抑制部材によって遮られる。従って、便器装置の外部に紫外線が漏れ出すことが抑制される。
【図面の簡単な説明】
【０００８】
【図１】図１は、本発明の実施形態の便器装置の側面図である。
【図２】図２は、図１のＡ部の断面図である。
【図３】図３は、変形例１の便器装置の要部断面図である。
【図４】図４は、変形例２の便器装置の要部断面図である。
【図５】図５は、変形例３の便器装置の要部断面図である。
【図６】図６は、変形例４の便器装置の要部断面図である。
【発明を実施するための形態】
【０００９】
以下、添付図面に基づいて本発明の実施形態について説明する。図１に本実施形態の便器装置１をトイレ室７に設置した状態を示す。なお、以下では、便器装置１をトイレ室７に設置した状態を基準とし、図１中Ｄ１に示す方向を前方、Ｄ２に示す方向を後方、Ｄ３に示す方向を上方、Ｄ４に示す方向を下方として説明する。
【００１０】
便器装置１は、ボウル部２０が形成された便器本体２、便器本体２に回転可能に設けられた便座３、便器本体２に回転可能に設けられた便蓋４、および便器本体２と便蓋４で囲まれる空間１０に紫外線を照射する殺菌灯５を備えている。
【００１１】
便器本体２は、例えば図１に示すようにトイレ室７の床７０上に設置される。便器本体２には、便器本体２の上面から上方に開口したボウル部２０が形成されている。
【００１２】
便座３および便蓋４は、便器本体２の後部に回転可能に支持されており、左右方向と平行な回転軸を中心に回転可能である。なお、以下では、便座３および便蓋４が閉じられた状態の便器装置１について説明する。
【００１３】
便器本体２の前部の上面部は、ボウル部２０の上開口部２１の周縁部を構成するリム部２２となっている。リム部２２には、図１に示すように便器本体２の後部から前方に突出した倒伏姿勢の便座３が載置される。
【００１４】
便蓋４は、上面を構成する平板状の蓋本体部４０と、蓋本体部４０の外周縁部から垂下した（垂れ下がった）垂下片部４１とを備えている。垂下片部４１は、蓋本体部４０の外周面を構成している。
【００１５】
便蓋４は、便器本体２の後部から前方に突出した閉位置と、便器本体２の後部から上方に突出した開位置との間で回転する。図１に示すように、便蓋４が閉位置に配置されて倒伏姿勢になったとき、便器本体２のリム部２２、ボウル部２０の上開口部２１、および便座３のそれぞれの上方が、蓋本体部４０によって覆われる。また、垂下片部４１が便座３の周囲に配置される。
【００１６】
殺菌灯５は、便蓋４の蓋本体部４０の裏面（下面）に取り付けられている。殺菌灯５には、例えばフレキシブルな電線を通じて電力が供給される。
【００１７】
殺菌灯５はボウル部２０の内面に向けて紫外線を照射する。殺菌灯５は、便器装置１が備えた制御部により、例えば便蓋４が閉位置に配置されたときにのみ、前記紫外線を照射するように制御される。これにより、便蓋４が閉じられたとき、殺菌灯５から下方のボウル部２０内に向かって紫外線が照射され、この紫外線がボウル部２０の内面に当たって殺菌がなされる。
【００１８】
なお、本実施形態の殺菌灯５は便蓋４に設けられているが、便器本体２や便座３に設けられてもよい。また、殺菌灯５は、便蓋４を閉じたときに、便器本体２と便蓋４で囲まれる空間１０に紫外線を照射するのであれば、便蓋４や便座３など、ボウル部２０以外の箇所に向けて紫外線を照射してもよい。また、殺菌灯５による紫外線照射の有無は、利用者の操作により切り替えられてもよい。
【００１９】
便器装置１は、便蓋４の外周部（詳しくは垂下片部４１）とこの外周部の下方に位置する便器本体２の上面との間を塞ぐ紫外線漏れ抑制部材６を備えている。
【００２０】
図２に示すように、紫外線漏れ抑制部材６は、便蓋４に設けられた第１部材６０と、便器本体２に設けられた第２部材６１とで構成されている。第１部材６０および第２部材６１は、便蓋４および便器本体２よりも軟質の軟質部材から形成されている。具体的に第１部材６０および第２部材６１は、ゴムから形成されている。なお、第１部材６０および第２部材６１は、熱可塑性エラストマーや、その他の軟質の合成樹脂材料から形成されてもよい。また、第１部材６０と第２部材６１のうちの一方のみが軟質部材から形成されてもよいし、第１部材６０および第２部材６１の両者が、軟質部材以外の材料から形成されてもよい。
【００２１】
第１部材６０は、垂下片部４１の下端面に取り付けられている。第１部材６０は、垂下片部４１の周方向の略全長に亘っている。第１部材６０は、垂下片部４１の下端面から下方に向かって突出している。第１部材６０の周方向と直交する断面の形状は、矩形状である。
【００２２】
第１部材６０は、下方（第２部材６１側）に向かって突出した突部６２を有している。本実施形態では、第１部材６０の全体が突部６２となっている。なお、突部６２は第１部材６０の一部であってもよい。
【００２３】
第２部材６１は、リム部２２の上面の外周部に取り付けられている。第２部材６１は、リム部２２に載置される便座３よりも外側に位置し、リム部２２の外周部においてボウル部２０の後方に位置する部分を除く全長に亘っている。第２部材６１は第１部材６０の下方に位置している。
【００２４】
第２部材６１は凹部６３を有している。本実施形態の凹部６３は、第２部材６１の上面（第１部材６０側の面）に、周方向に亘って形成されている。凹部６３は、第１部材６０（突部６２）の下端部（先端部）が合致する断面形状を有している。
【００２５】
便蓋４が閉位置に配置されたとき、図２に示すように、第２部材６１の凹部６３には、第１部材６０の下端部が嵌め込まれ、第１部材６０の下端面（先端面）が第２部材６１の凹部６３の奥面６４に接する。このとき、第１部材６０の下端部は、凹部６３の長さ方向の全長に亘って嵌め込まれる。これにより、閉位置に配置された便蓋４の垂下片部４１と、この下方に位置する便器本体２のリム部２２の間が、第１部材６０および第２部材６１によって塞がれる。すなわち、垂下片部４１と下方のリム部２２の間には、第１部材６０と第２部材６１とが隙間なく連続して配置される。このため、仮に殺菌灯５から照射された紫外線の一部が、便器本体２や便蓋４で反射して便蓋４の垂下片部４１とこの下方の便器本体２のリム部２２との間に至っても、この紫外線は第１部材６０および第２部材６１によって遮られる。従って、殺菌灯５からボウル部２０内に照射された紫外線は、便器装置１の外部に漏れ出しにくい。
【００２６】
前記のように便蓋４が閉位置に配置されたとき、便蓋４の重みにより、軟質部材である第１部材６０および第２部材６１は、便蓋４の垂下片部４１と便器本体２のリム部２２によって上下に圧縮されて弾性変形する。これにより、第１部材６０の下端面は、第２部材６１の凹部６３の奥面６４に密着する。このため、ボウル部２０内に照射された紫外線は、便器装置１の外部に一層漏れ出しにくい。
【００２７】
以上説明した本実施形態の便器装置１は、以下の特徴を有している。便器装置１は、便器本体２、便蓋４、殺菌灯５、および紫外線漏れ抑制部材６を備える。便器本体２には、ボウル部２０が形成されている。便蓋４は、便器本体２に設けられており、開閉可能である。殺菌灯５は、便器本体２と便蓋４で囲まれる空間１０に紫外線を照射するように構成されている。紫外線漏れ抑制部材６は、便蓋４がボウル部２０の上開口部２１を覆う閉位置に配置されたときに、便蓋４の外周部と、この外周部の下方に位置する便器本体２の上面との間を塞ぐ。
【００２８】
この特徴を有する便器装置１は、閉位置に配置された便蓋４の外周部と、この外周部の下方に位置する便器本体２の上面の間が、紫外線漏れ抑制部材６で塞がれる。このため、便蓋４が閉じた状態で、仮に殺菌灯５から照射された紫外線の一部が、便蓋４の外周部とこの外周部の下方の便器本体２の上面との間に至っても、この紫外線は紫外線漏れ抑制部材６によって遮られて、便器装置１の外部に漏れ出すことが抑制される。また、便器本体２や便蓋４の色を白色など、紫外線の反射しやすい色にした場合にも、紫外線が便器装置１の外部に漏れ出すことを抑制でき、デザインの自由度が増す。
【００２９】
また、便器装置１は、本実施形態のように以下の特徴を有することが好ましい。紫外線漏れ抑制部材６が、閉位置に配置された便蓋４と便器本体２の上面とで上下に圧縮される軟質部材である。
【００３０】
この特徴を有する便器装置１は、閉位置に配置された便蓋４の外周部と便器本体２の上面との間が、便蓋４と便器本体２とで上下に圧縮された紫外線漏れ抑制部材６により塞がれるため、便器装置１の外部への紫外線の漏れ出しが一層抑制される。
【００３１】
また、便器装置１は、本実施形態のように以下の特徴を有することが好ましい。紫外線漏れ抑制部材６が、便蓋４に設けられた第１部材６０と、便器本体２に設けられて便蓋４が閉位置に配置されたときに第１部材６０の下方に位置する第２部材６１とを備える。第１部材６０および第２部材６１のうちの一方の部材が他方の部材側に向かって突出した突部６２を有する。前記他方の部材が前記一方の部材と反対側に凹んだ凹部６３を有する。便蓋４が閉位置に配置されたときに、突部６２が凹部６３に嵌まり込むように構成される。
【００３２】
この特徴を有する便器装置１は、便蓋４が閉位置に配置されたとき、突部６２が凹部６３に嵌まり込む。このため、便蓋４の外周部とこの下方の便器本体２の上面との間に至った紫外線は、突部６２と凹部６３の両側部分とで遮られ、これにより、紫外線が便器装置１の外部に漏れ出すことが抑制される。
【００３３】
以下、変形例１〜４について順に説明する。なお、以下の変形例１〜４の説明では、前記実施形態と共通の構成については同一の符号を付し、共通する点については説明を省略する。
【００３４】
図３に変形例１の便器装置１の要部断面図を示す。前記実施形態では、第１部材６０が突部６２を有し、第２部材６１が凹部６３を有しているが、変形例１では、第２部材６１が突部６２を有し、第１部材６０が凹部６３を有している。
【００３５】
図４に変形例２の便器装置１の要部断面図を示す。変形例２では、便蓋４が閉位置に配置されたとき、図４に示すように、突部６２の先端面と凹部６３の奥面６４との間に、隙間６５が形成されるように構成されている。
【００３６】
具体的に第１部材６０の下面の幅方向の中間部には、下方に突出した突部６２が形成されている。便蓋４が閉位置に配置されたとき、第１部材６０の突部６２両側に位置する下面は、第２部材６１の凹部６３両側に位置する上面に接する。また、突部６２の両側面のそれぞれは、凹部６３の対応する側面に接する。
【００３７】
なお、変形例１においても、便蓋４が閉位置に配置されたときに、突部６２の先端面と凹部６３の奥面６４との間に、隙間が形成されるように構成されてもよい。
【００３８】
図５に変形例３の便器装置１の要部断面図を示す。変形例３では、便蓋４が閉位置に配置されたとき、図５に示すように、第１部材６０と第２部材６１とが水平方向に並んで配されて互いの側面同士が接するように構成されている。
【００３９】
具体的に第１部材６０は、便蓋４の垂下片部４１の下面から下方に向かって突出しており、その周方向と直交する断面の形状は、矩形状である。
【００４０】
第２部材６１は、リム部２２から上方に向かって突出しており、その周方向と直交する断面の形状は、矩形状である。
【００４１】
便蓋４が閉位置に配置されたとき、第１部材６０の内側の側面は、第２部材６１の外側の側面に隙間なく接する。また、第１部材６０はリム部２２の上面から上方に離れて位置し、便器本体２に接しない。また、第２部材６１は垂下片部４１の下端面から下方に離れて位置し、便器本体２に接しない。
【００４２】
なお、第１部材６０および第２部材６１は軟質部材であってもよいし、軟質部材以外の材料から形成されてもよい。
【００４３】
変形例３の便器装置１は、便蓋４が閉位置に配置されたとき、便蓋４の外周部と、この外周部の下方に位置する便器本体２の上面との間が、水平方向に並び互いの側面同士が接する第１部材６０と第２部材６１によって塞がれる。この場合、第１部材６０と第２部材６１は、便蓋４と便器本体２とによって上下方向に強い力で圧縮されにくい。このため、第１部材６０および第２部材６１の材料として、軟質部材以外の材料を用いた場合にも第１部材６０および第２部材６１が破損などしにくくなり、かつ第１部材６０および第２部材６１のそれぞれの材料の選択の幅が広がる。
【００４４】
なお、変形例３では、便蓋４が閉位置に配置されたとき、第１部材６０の内側に第２部材６１が配されるが、第２部材６１の内側に第１部材６０が配されてもよい。すなわち、この場合、便蓋４が閉位置に配置されたときには、第１部材６０の外側の側面に、第２部材６１の内側の側面が隙間なく接する。
【００４５】
図６に変形例４の便器装置１の要部断面図を示す。前記実施形態の紫外線漏れ抑制部材６は、第１部材６０と第２部材６１の２部材で構成されているが、変形例４では、紫外線漏れ抑制部材６が１部材で構成されている。
【００４６】
具体的に、紫外線漏れ抑制部材６は便蓋４の垂下片部４１の下端面に取り付けられており、垂下片部４１の下面から下方に向かって突出している。紫外線漏れ抑制部材６は、垂下片部４１の周方向の略全長に亘っている。紫外線漏れ抑制部材６の周方向と直交する断面の形状は、矩形状である。
【００４７】
なお、変形例４の紫外線漏れ抑制部材６は、前記実施形態と同様に、軟質部材から形成されることが好ましいが、軟質部材以外の材料から形成されてもよい。
【００４８】
便蓋４が閉位置に配置されたとき、紫外線漏れ抑制部材６の下端面は、リム部２２の上面に接し、紫外線漏れ抑制部材６は、便蓋４の垂下片部４１と便器本体２のリム部２２によって上下に圧縮されて弾性変形する。
【００４９】
変形例４の便器装置１にあっては、紫外線漏れ抑制部材６が１部材で構成されるため、紫外線漏れ抑制部材６を簡単に形成できる。
【００５０】
また、紫外線漏れ抑制部材６は便蓋４に設けられる。このため、便蓋４を開いた状態で便器本体２の上面（リム部２２の上面）を掃除するとき、紫外線漏れ抑制部材６が邪魔になり難く、掃除がしやすい。
【００５１】
なお、変形例４では紫外線漏れ抑制部材６が便蓋４に取り付けられているが、紫外線漏れ抑制部材６は、便器本体２に取り付けられてもよい。
【００５２】
また、前記実施形態および変形例１〜４の紫外線漏れ抑制部材６は、垂下片部４１よりも内側の蓋本体部４０の外周部と便器本体２の上面との間に設けられてもよい。
【００５３】
また、この他、前記実施形態および変形例１〜４の便器装置１は、本発明の趣旨を逸脱しない範囲で適宜設計変更可能である。
【符号の説明】
【００５４】
１  便器装置
２  便器本体
１０  空間
２０  ボウル部
２１  上開口部
４  便蓋
５  殺菌灯
６  紫外線漏れ抑制部材
６０  第１部材
６１  第２部材
６２  突部
６３  凹部
６４  奥面
【図１】
2016152869.tif 000003
【図２】
2016152869.tif 000004
【図３】
2016152869.tif 000005
【図４】
2016152869.tif 000006
【図５】
2016152869.tif 000007
【図６】
2016152869.tif 000008